(57)【特許請求の範囲】
【請求項１】
複数の反射要素を有する照明システムであって、前記反射要素は、放射を瞳面内の異なる配置に向かって誘導する異なる向きの間で移動可能であり、それによって異なる照明モードを形成する照明システムであって、
各反射要素は、
放射を前記瞳面における第１関連配置に向かって誘導するそれぞれの第１の向きと、
放射を前記瞳面における第２関連配置に向かって誘導するそれぞれの第２の向きと
の間で移動可能であり、前記反射要素の前記それぞれの第１の向きおよび前記それぞれの第２の向きは、エンドストップによって規定され、
前記エンドストップは調整可能な位置を有し、前記エンドストップの前記位置は、照明モードに基づき調整される、照明システム。
【請求項２】
各反射要素は、
前記反射要素の前記第１の向きに対応するそれぞれの第１位置と、
前記反射要素の前記第２の向きに対応するそれぞれの第２位置と
の間で移動可能であるそれぞれのマウント上に取り付けられ、前記エンドストップは、前記マウントの前記第１位置および前記第２位置を規定し、それによって前記反射要素の前記それぞれの第１の向きおよび前記それぞれの第２の向きを規定する、請求項１に記載の照明システム。
【請求項３】
前記マウントは、前記第１位置と前記第２位置との間で移動可能である１つ以上のアームを含む、請求項２に記載の照明システム。
【請求項４】
前記エンドストップは調整可能な位置を有し、前記マウントは、１つ以上の前記エンドストップの位置を調整することによって前記反射要素の回転軸の向きが調整され得るように構成される、請求項２に記載の照明システム。
【請求項５】
前記マウントは、前記マウントを前記第１位置と前記第２位置との間で移動させるように構成されたアクチュエータに接続される、請求項２〜４のうちのいずれかに記載の照明システム。
【請求項６】
前記アクチュエータは、複数のそれぞれのマウントに接続され、かつ前記複数のそれぞれのマウントを前記それぞれの第１位置および前記それぞれの第２位置との間で同時に移動させるように構成される、請求項５に記載の照明システム。
【請求項７】
前記アクチュエータは、ピエゾアクチュエータ、静電アクチュエータ、バイメタルアクチュエータまたはモータである、請求項５または６に記載の照明システム。
【請求項８】
前記複数の反射要素は、同じ軸の周りを回転し得る反射要素の群を含む、請求項１〜７のうちのいずれかに記載の照明システム。
【請求項９】
前記複数の反射要素は、さらなる同じ軸の周りを回転し得るさらなる反射要素の群を含み、前記軸および前記さらなる軸は、前記照明システムの光軸を通過する、請求項８に記載の照明システム。
【請求項１０】
前記複数の反射要素は、さらなる同じ軸の周りを回転し得るさらなる反射要素の群を含み、前記軸および前記さらなる軸は、前記照明システムの光軸を通過しない、請求項８に記載の照明システム。
【請求項１１】
前記照明システムは、前記瞳面内に設けられたさらなる複数の反射要素を含む、請求項１〜１０のうちのいずれかに記載の照明システム。
【請求項１２】
請求項１〜１１のうちのいずれかに記載の照明システムを含む、リソグラフィ装置。
【請求項１３】
照明システム内の照明モードを形成する方法であって、
複数の反射要素をエンドストップによって規定されたそれぞれの第１の向きに移動させることと、
放射を瞳面における関連第１配置に誘導して第１照明モードを形成することと、続いて、
前記複数の反射要素のうちの少なくとも一部をエンドストップによって規定されたそれぞれの第２の向きに移動させることと、
放射を瞳面における関連第２配置に誘導して第２照明モードを形成することと
を含み、
前記エンドストップは調整可能な位置を有し、前記エンドストップの前記位置は、照明モードに基づき調整される、方法。
【請求項１４】
前記第１照明モードおよび前記第２照明モードは、
従来のオンアクシス照明モードおよびオフアクシス照明モード、または
第１オフアクシス照明モードおよび第２オフアクシス照明モード
から選択された互いに異なる照明モードである、請求項１３に記載の方法。
【請求項１５】
反射要素に関する関連第１配置および関連第２配置は、前記照明システムの光軸を中心とする前記瞳面の円形部分のクアドラントに含まれる、請求項１３に記載の方法。
【請求項１６】
前記第１配置および前記第２配置は、互いから半径方向に離れている、請求項１５に記載の方法。
【請求項１７】
前記第１配置および前記第２配置の位置は、対応するさらなる反射要素に関するさらなる第１配置およびさらなる第２配置の位置に関連し、前記第１配置および前記第２配置の前記位置ならびに前記さらなる第１配置および前記さらなる第２配置の前記位置は、前記クアドラントを二等分するラインに対して対称である、請求項１５または１６に記載の方法。
【請求項１８】
第１反射コンポーネントおよび第２反射コンポーネントを含む照明システムであって、前記第１反射コンポーネントは、放射を放射源から受け、かつ前記放射を第２反射コンポーネントに向かって反射させるように構成され、前記第２反射コンポーネントは、入射放射をパターニングデバイスのための照明エリアに向かって反射させることによって二次放射源として機能するように構成され、前記第１反射コンポーネントは複数の一次反射要素を有し、各一次反射要素は、
放射が前記第２反射コンポーネントにおける第１関連配置に向かって反射されるそれぞれの第１の向きと、
放射が前記第２反射コンポーネントにおける第２関連配置に向かって反射されるそれぞれの第２の向きと
の間で移動可能であり、前記反射要素の前記第１の向きおよび前記第２の向きは、エンドストップによって規定され、
前記エンドストップは調整可能な位置を有し、前記エンドストップの前記位置は、照明モードに基づき調整される、照明システム。
【請求項１９】
第１関連配置はおよび第２関連配置は、光軸の周囲に環状の形状を有する前記第２反射コンポーネントにおけるエリア内に構成される、請求項１８に記載の照明システム。
【請求項２０】
前記第２反射コンポーネントには、
光軸の周囲に環状の形状を有するエリアと、
前記環状の形状のエリアによって囲われた内側エリアとが設けられ、第１関連配置は前記内側エリア内に構成され、第２関連配置は前記環状の形状を有するエリア内に構成される、請求項１８に記載の照明システム。
【請求項２１】
前記複数の一次反射要素は、同じ軸の周りを回転し得る反射要素の群を含む、請求項１９または２０に記載の照明システム。
【請求項２２】
前記第２反射コンポーネントは、前記照明システムの瞳面内に設けられている、請求項１８〜２１のうちのいずれかに記載の照明システム。
【請求項２３】
前記第１関連配置および前記第２関連配置は、それぞれ、第１関連二次反射要素および第２関連二次反射要素を含み、前記第１関連二次反射要素および前記第２関連二次反射要素は、第１および第２の向きのそれぞれを有するときの対応する一次反射要素によって反射される第１放射サブビームおよび第２放射サブビームを前記照明エリアに誘導するように構成される、請求項１８〜２２のうちのいずれかに記載の照明システム。
【請求項２４】
請求項１８〜２３のうちのいずれかに記載の照明システムを含む、リソグラフィ装置。
【発明の詳細な説明】
【技術分野】
【０００１】
[0001]  本発明は、照明システム、照明システムを含むリソグラフィ装置および照明モードを形成する方法に関する。
【背景技術】
【０００２】
[0002]  リソグラフィ装置は、所望のパターンを基板のターゲット部分上に付与する機械である。リソグラフィ装置は、例えば、集積回路（ＩＣ）の製造に用いることができる。その場合、ＩＣの個々の層に対応する回路パターンを生成するために、マスクまたはレチクルとも呼ばれるパターニングデバイスを用いることができる。このパターンは、基板（例えば、シリコンウェーハ）上のターゲット部分（例えば、ダイの一部、または１つ以上のダイを含む）に転写することができる。通常、パターンの転写は、基板上に設けられた放射感応性材料（レジスト）層上への結像によって行われる。一般には、単一の基板が、連続的にパターニングされる隣接したターゲット部分のネットワークを含んでいる。公知のリソグラフィ装置としては、ターゲット部分上にパターン全体を一度に露光することにより各ターゲット部分を照射する、いわゆるステッパ、およびビームによってある特定の方向（「スキャン」方向）にパターンをスキャンすると同時に、この方向に平行または逆平行に基板をスキャンすることにより各ターゲット部分を照射する、いわゆるスキャナが含まれる。
【０００３】
[0003]  リソグラフィは、ＩＣや他のデバイスおよび／または構造の製造における重要なステップの１つとして広く認識されている。しかしながら、リソグラフィを使用して作られるフィーチャの寸法が小さくなるにつれ、リソグラフィは、小型ＩＣあるいは他のデバイスおよび／または構造を製造できるようにするためのより一層重要な要因になりつつある。
【０００４】
[0004]  パターン印刷の限界の理論推定値は、式（１）に示す解像度に関するレイリー基準によって与えられることができる。
【０００５】
[0005]
【数１】
0005650670.tif 000002
【０００６】
[0006]  上の式で、λは使用される放射の波長であり、ＮＡはパターンを印刷するために使用される投影システムの開口数であり、ｋ１はレイリー定数とも呼ばれるプロセス依存調整係数であり、ＣＤは印刷されたフィーチャのフィーチャサイズ（またはクリティカルディメンジョン）である。式（１）から、フィーチャの最小印刷可能サイズの縮小は、以下の３つの方法、露光波長λを短縮することによって、開口数ＮＡを増加させることによって、あるいはｋ１の値を低下させることによって達成することができる、と言える。
【０００７】
[0007]  露光波長を短縮するため、したがって、最小印刷可能サイズを縮小させるためには、極端紫外線（ＥＵＶ）放射原を使用することが提案されている。ＥＵＶ放射は、５〜２０ｎｍの範囲内、例えば１３〜１４ｎｍの範囲内の波長を有する電磁放射である。さらに、１０ｎｍより小さい波長、例えば６．７ｎｍまたは６．８ｎｍといったように５〜１０ｎｍの範囲内の波長を有するＥＵＶ放射が使用されてもよいことが提案されている。そのような放射を極端紫外線または軟Ｘ線と呼ぶ。可能な放射源としては、例えば、レーザ生成プラズマ源、放電プラズマ源または電子蓄積リングによって提供されるシンクロトロン放射に基づく放射源が挙げられる。
【０００８】
[0008]  ＥＵＶ放射は、プラズマを用いて生成することができる。ＥＵＶ放射を生成するための放射システムは、プラズマを提供するために燃料を励起するレーザと、プラズマを収容する放射源コレクタモジュールを含んでよい。プラズマは、例えば、適切な材料（例えば、スズ）の粒子などの燃料にレーザビームを向けることによって、あるいはＸｅガスまたはＬｉ蒸気などの適切なガスまたは蒸気の流れにレーザビームを向けることによって生成することができる。結果として生じるプラズマは、放射、例えばＥＵＶ放射を放出し、これは、放射コレクタを用いて集光される。放射コレクタは、放射を受けてその放射をビームへと集束させるミラー(mirrored)法線入射放射コレクタであってよい。放射源コレクタモジュールは、プラズマを支持するために真空環境を提供するように構成された密閉構造またはチャンバを含んでよい。そのような放射システムを、一般的にレーザ生成プラズマ（ＬＰＰ）源と呼ぶ。
【０００９】
[0009]  リソグラフィ装置は、通常、照明システムを含む。照明システムは、例えば、エキシマレーザまたは極端紫外線源などの放射源から放射を受け、パターニングデバイスに入射する放射ビーム（「投影」ビームと呼ぶこともある）を提供する。放射ビームはパターニングデバイスによってパターン付けされ、その後投影システムによって基板上に投影される。
【００１０】
[0010]  リソグラフィの分野では、基板上に投影されるパターニングデバイスのイメージは適切な照明モードを有する放射ビームを提供することによって改善することができる。照明モードは、照明システムの軸または光軸を中心に置く照明システムの瞳面内の放射ビームの空間強度分布である。パターニングデバイスの平面（照明システムのフィールド面）では、そのような空間強度分布は入射放射の入射角の分布に対応し、これを放射の角強度分布と呼ぶ。所望の照明モードは、例えば、瞳面内の中心照射部分を有する従来の照明モードまたは瞳面内に１つ以上の独立したオフアクシス照射部分を有するオフアクシス照明モードであってもよい。したがって、リソグラフィ装置の照明システムは、通常、選択された照明モードを達成することができるように照明システム内の放射ビームを誘導し、整形し、かつ制御するように構成された強度分布調整装置を含む。
【００１１】
[0011]  従来技術は、所望の照明モードを達成するように照明ビームを制御するように構成された様々な強度分布調整装置を説明している。例えば、ズームアキシコンデバイス（ズームレンズとアキシコンとの組み合わせ）を用いて環状照明モードを作り出すことができ、それによって瞳面内の環状強度分布の内側半径および外側半径は制御可能である。通常、内側半径および外側半径の大きさは、それぞれ、σinnerおよびσouterで示す。これらの数は、それぞれ、投影システムの開口数に対応する半径に対する内側半径の比および外側半径の比を表す。ズームアキシコンデバイスは、通常、個別に移動可能である多数の屈折型光コンポーネントを含む。したがって、ズームアキシコンデバイスは、ＥＵＶ放射（例えば、１３．５ｎｍの放射または５〜２０ｎｍの波長を有する放射）との使用に適していない。なぜなら、これらの波長の放射は、屈折材料を通過するときに強く吸収されるからである。
【００１２】
[0012]  空間フィルタを用いて照明モードを作り出すことができる。例えば、ダイポール照明モードに対応する２つの反対のオフアクシス開口部を有する空間フィルタは、ダイポール照明モードを作り出すために照明システムの瞳面内に提供されてもよい。空間フィルタは、異なる照明モードが必要とされたときに取り除かれて別の空間フィルタと置き換えられてもよい。しかしながら、空間フィルタは放射ビームのかなりの割合を遮断し、それによって、放射ビームがパターニングデバイスに入射するときに放射ビームの強度を減少させる。公知のＥＵＶ源は、リソグラフィ装置が効率的に動作することを可能にするほど十分な強度のＥＵＶ放射を提供することに苦戦している。したがって、照明モードを形成するときにかなりの部分の放射ビームを遮断することは望ましくない。
【発明の概要】
【００１３】
[0013]  上記の装置の１つ以上の欠点を克服および軽減するリソグラフィ装置を提供することが望ましい。
【００１４】
[0014]  本発明の第１態様によると、複数の反射要素を有する照明システムが提供される。反射要素は、放射を瞳面内の異なる配置に向かって誘導する異なる向きの間で移動可能であり、それによって異なる照明モードを形成する。各反射要素は、放射を瞳面における第１関連配置に向かって誘導するそれぞれの第１の向きと、放射を瞳面における第２関連配置に向かって誘導するそれぞれの第２の向きとの間で移動可能であり、反射要素のそれぞれの第１の向きおよびそれぞれの第２の向きは、エンドストップによって規定される。
【００１５】
[0015]  本発明の一態様によると、複数の反射要素を有する照明システム含むリソグラフィ装置が提供される。反射要素は、放射を瞳面内の異なる配置に向かって誘導する異なる向きの間で移動可能であり、それによって異なる照明モードを形成する。各反射要素は、放射を瞳面における第１関連配置に向かって誘導するそれぞれの第１の向きと、放射を瞳面における第２関連配置に向かって誘導するそれぞれの第２の向きとの間で移動可能であり、反射要素のそれぞれの第１の向きおよびそれぞれの第２の向きは、エンドストップによって規定される。
【００１６】
[0016]  本発明の一態様によると、照明システム内の照明モードを形成する方法が提供される。方法は、複数の反射要素をエンドストップによって規定されたそれぞれの第１の向きに移動させることと、放射を瞳面における関連第１配置に誘導して第１照明モードを形成することと、続いて、複数の反射要素のうちの少なくとも一部をエンドストップによって規定されたそれぞれの第２の向きに移動させることと、放射を瞳面における関連第２配置に誘導して第２照明モードを形成することとを含む。
【００１７】
[0017]  本発明の一態様によると、第１反射コンポーネントおよび第２反射コンポーネントを含む照明システムが提供される。第１反射コンポーネントは、放射を放射源から受け、かつ放射を第２反射コンポーネントに向かって反射させるように構成され、第２反射コンポーネントは、入射放射をパターニングデバイスのための照明エリアに向かって反射させることによって二次放射源として機能するように構成され、第１反射コンポーネントは複数の一次反射要素を有し、各一次反射要素は、放射が第２反射コンポーネントにおける第１関連配置に向かって反射されるそれぞれの第１の向きと、放射が第２反射コンポーネントにおける第２関連配置に向かって反射されるそれぞれの第２の向きとの間で移動可能であり、反射要素の第１の向きおよび第２の向きは、エンドストップによって規定される。
【００１８】
[0018]  本発明の一態様によると、第１反射コンポーネントおよび第２反射コンポーネントを含む照明システムを含むリソグラフィ装置が提供される。第１反射コンポーネントは、放射を放射源から受け、かつ放射を第２反射コンポーネントに向かって反射させるように構成され、第２反射コンポーネントは、入射放射をパターニングデバイスのための照明エリアに向かって反射させることによって二次放射源として機能するように構成され、第１反射コンポーネントは複数の一次反射要素を有し、各一次反射要素は、放射が第２反射コンポーネントにおける第１関連配置に向かって反射されるそれぞれの第１の向きと、放射が第２反射コンポーネントにおける第２関連配置に向かって反射されるそれぞれの第２の向きとの間で移動可能であり、反射要素の第１の向きおよび第２の向きは、エンドストップによって規定される。
【図面の簡単な説明】
【００１９】
[0019]  本発明のいくつかの実施形態を、単なる例として、添付の概略図を参照して以下に説明する。これらの図面において同じ参照符号は対応する部分を示す。
【図１】図１は、本発明の一実施形態によるリソグラフィ装置を概略的に示す。
【図２ａ】図２ａは、放電生成プラズマ源を含むより詳細な図１のリソグラフィ装置の一部を概略的に示す。
【図２ｂ】図２ｂは、レーザ生成プラズマ源を含むより詳細な図１のリソグラフィ装置の一部を概略的に示す。
【図３】図３は、リソグラフィ装置の照明システムの移動可能な反射要素の動作を示す。
【図４】図４は、リソグラフィ装置の照明システムの移動可能な反射要素の動作を示す。
【図５ａ】図５ａは、リソグラフィ装置の照明システムの移動可能な反射要素の動作および結果的に生じる照明モードを示す。
【図５ｂ】図５ｂは、リソグラフィ装置の照明システムの移動可能な反射要素の動作および結果的に生じる照明モードを示す。
【図６ａ】図６ａは、リソグラフィ装置の照明システムの移動可能な反射要素の動作および結果的に生じる照明モードを示す。
【図６ｂ】図６ｂは、リソグラフィ装置の照明システムの移動可能な反射要素の動作および結果的に生じる照明モードを示す。
【図７】図７は、瞳面の第１クアドラントを示す。
【図８】図８は、本発明の一実施形態を用いて取得可能な５つの照明モードを示す。
【図９】図９は、反射要素用のマウントを示す。
【図１０】図１０は、本発明の代替の実施形態における瞳面の第１クアドラントを示す。
【図１１】図１１は、本発明の代替の実施形態を用いて取得可能な７つの照明モードを示す。
【図１２】図１２は、本発明の一実施形態を用いて取得可能な近似ダイポール照明モードを示す。
【発明を実施するための形態】
【００２０】
[0020]  図１は、本発明の一実施形態による放射源コレクタモジュールＳＯを含むリソグラフィ装置１００を概略的に示す。このリソグラフィ装置は、
‐  放射ビームＢ（例えば、ＥＵＶ放射）を調整するように構成された照明システム（イルミネータ）ＩＬと、
‐  パターニングデバイス（例えば、マスクまたはレチクル）ＭＡを支持するように構成され、かつパターニングデバイスを正確に位置決めするように構成された第１ポジショナＰＭに連結されたサポート構造（例えば、マスクテーブル）ＭＴと、
‐  基板（例えば、レジストコートウェーハ）Ｗを保持するように構成され、かつ基板を正確に位置決めするように構成された第２ポジショナＰＷに連結された基板テーブル（例えば、ウェーハテーブル）ＷＴと、
‐  パターニングデバイスＭＡによって放射ビームＢに付けられたパターンを基板Ｗのターゲット部分Ｃ（例えば、１つ以上のダイを含む）上に投影するように構成された投影システム（例えば、屈折投影レンズシステム）ＰＳとを備える。
【００２１】
[0021]  照明システムとしては、放射を誘導し、整形し、または制御するために、屈折型、反射型、磁気型、電磁型、静電型、またはその他のタイプの光コンポーネント、あるいはそれらのあらゆる組合せなどのさまざまなタイプの光コンポーネントを含むことができる。
【００２２】
[0022]  サポート構造ＭＴは、パターニングデバイスの向き、リソグラフィ装置の設計、および、パターニングデバイスが真空環境内で保持されているか否かなどの他の条件に応じた態様で、パターニングデバイスＭＡを保持する。サポート構造は、機械式、真空式、静電式またはその他のクランプ技術を使って、パターニングデバイスを保持することができる。サポート構造は、例えば、必要に応じて固定または可動式にすることができるフレームまたはテーブルであってもよい。サポート構造は、パターニングデバイスを、例えば、投影システムに対して所望の位置に確実に置くことができる。
【００２３】
[0023]  「パターニングデバイス」という用語は、基板のターゲット部分内にパターンを作り出すように、放射ビームの断面にパターンを与えるために使用できるあらゆるデバイスを指していると、広く解釈されるべきである。放射ビームに付けたパターンは、集積回路などのターゲット部分内に作り出されるデバイス内の特定の機能層に対応することができる。
【００２４】
[0024]  パターニングデバイスは、透過型であっても、反射型であってもよい。パターニングデバイスの例としては、マスク、プログラマブルミラーアレイ、およびプログラマブルＬＣＤパネルが含まれる。マスクは、リソグラフィでは公知であり、バイナリ、レべンソン型(alternating)位相シフト、およびハーフトーン型(attenuated)位相シフトなどのマスク型、ならびに種々のハイブリッドマスク型を含む。プログラマブルミラーアレイの一例では、小型ミラーのマトリックス配列が用いられており、各小型ミラーは、入射する放射ビームを様々な方向に反射させるように、個別に傾斜させることができる。傾斜されたミラーは、ミラーマトリックスによって反射される放射ビームにパターンを付ける。
【００２５】
[0025]  投影システムは、照明システムのように、使われている露光放射にとって、あるいは真空の使用といった他の要因にとって適切な、屈折型、反射型、磁気型、電磁型、静電型、またはその他のタイプの光コンポーネント、あるいはそれらのあらゆる組合せなどのさまざまなタイプの光コンポーネントを含むことができる。他のガスは放射を吸収しすぎることがあるので、ＥＵＶ放射に対しては真空を使用することが望ましい場合がある。したがって、真空壁および真空ポンプを用いてビームパス全体に真空環境を提供することができる。
【００２６】
[0026]  本明細書に示されているとおり、リソグラフィ装置は、反射型のもの（例えば、反射型マスクを採用しているもの）であってもよい。
【００２７】
[0027]  リソグラフィ装置は、２つ（デュアルステージ）以上の基板テーブル（および／または２つ以上のマスクテーブル）を有する型のものであってもよい。そのような「マルチステージ」機械においては、追加のテーブルは並行して使うことができ、または予備工程を１つ以上のテーブル上で実行しつつ、別の１つ以上のテーブルを露光用に使うこともできる。 
【００２８】
[0028]  図１を参照すると、イルミネータＩＬは、放射源コレクタモジュールＳＯから極端紫外線放射ビームを受ける。ＥＵＶ光を生成する方法としては、材料を、ＥＵＶ範囲内の１つ以上の輝線を有する、例えばキセノン、リチウムまたはスズなどの少なくとも１つの元素を有するプラズマ状態に変換することが挙げられるが必ずしもこれに限定されない。そのような一方法では、レーザ生成プラズマ（「ＬＰＰ」）と呼ばれることが多い所要のプラズマを、所要の線発光元素(line-emitting element)を有する材料の小滴、流れまたはクラスタなどの燃料をレーザビームで照射することによって生成することができる。放射源コレクタモジュールＳＯは、燃料を励起するレーザビームを提供するためである、図１に図示されていないレーザを含むＥＵＶ放射システムの一部分であってもよい。結果として生じるプラズマは、例えばＥＵＶ放射などの出力放射を放出し、これは、放射源コレクタモジュールに配置された放射コレクタを用いて集光される。例えば、燃料励起のためのレーザビームを提供するためにＣＯ２レーザが使用される場合、レーザと放射源コレクタモジュールは、別個の構成要素であってもよい。
【００２９】
[0029]  そのような場合には、レーザは、リソグラフィ装置の一部分を形成しているとはみなされず、また放射ビームは、レーザから放射源コレクタモジュールへ、例えば、適切な誘導ミラーおよび／またはビームエキスパンダを含むビームデリバリシステムを使って送られる。その他の場合においては、例えば、放射源がＤＰＰ源と呼ばれることが多い放電生成プラズマＥＵＶジェネレータである場合、放射源は、放射源コレクタモジュールの一体部分とすることもできる。
【００３０】
[0030]  イルミネータＩＬは、放射ビームの角強度分布を調節するアジャスタを含むことができる。通常、イルミネータの瞳面内の強度分布の少なくとも外側および／または内側半径範囲（それぞれ値σ-outerおよび値σ-innerを有する）を調節することができる。さらに、イルミネータＩＬは、ファセット視野(facetted field)および瞳ミラーデバイスといったさまざまな他のコンポーネントを含むことができる。イルミネータを使って放射ビームを調整すれば、パターニングデバイスに入射したときに放射ビームの断面に所望の均一性および強度分布をもたせることができる。
【００３１】
[0031]  放射ビームＢは、サポート構造（例えば、マスクテーブル）ＭＴ上に保持されているパターニングデバイス（例えば、マスク）ＭＡ上に入射して、パターニングデバイスによってパターン形成される。パターニングデバイス（例えば、マスク）ＭＡから反射した後、放射ビームＢは投影システムＰＳを通過し、投影システムＰＳは、基板Ｗのターゲット部分Ｃ上にビームの焦点をあわせる。第２ポジショナＰＷおよび位置センサＰＳ２（例えば、干渉計デバイス、リニアエンコーダ、または静電容量センサ）を使って、例えば、さまざまなターゲット部分Ｃを放射ビームＢの経路内に位置決めするように、基板テーブルＷＴを正確に動かすことができる。同様に、第１ポジショナＰＭおよび別の位置センサＰＳ１を使い、パターニングデバイス（例えば、マスク）ＭＡを放射ビームＢの経路に対して正確に位置決めすることもできる。パターニングデバイス（例えば、マスク）ＭＡおよび基板Ｗは、マスクアライメントマークＭ１およびＭ２と、基板アライメントマークＰ１およびＰ２とを使って、位置合わせされてもよい。
【００３２】
[0032]  例示の装置は、以下に説明するモードのうち少なくとも１つのモードで使用できる。 
１．ステップモードにおいては、サポート構造（例えば、マスクテーブル）ＭＴおよび基板テーブルＷＴを基本的に静止状態に保ちつつ、放射ビームに付けられたパターン全体を一度にターゲット部分Ｃ上に投影する（すなわち、単一静的露光）。その後、基板テーブルＷＴは、Ｘおよび／またはＹ方向に移動され、それによって別のターゲット部分Ｃを露光することができる。
２．スキャンモードにおいては、サポート構造（例えば、マスクテーブル）ＭＴおよび基板テーブルＷＴを同期的にスキャンする一方で、放射ビームに付けられたパターンをターゲット部分Ｃ上に投影する（すなわち、単一動的露光）。サポート構造（例えば、マスクテーブル）ＭＴに対する基板テーブルＷＴの速度および方向は、投影システムＰＳの（縮小）拡大率および像反転特性によって決めることができる。
３．別のモードにおいては、プログラマブルパターニングデバイスを保持した状態で、サポート構造（例えば、マスクテーブル）ＭＴを基本的に静止状態に保ち、また基板テーブルＷＴを動かす、またはスキャンする一方で、放射ビームに付けられているパターンをターゲット部分Ｃ上に投影する。このモードにおいては、通常、パルス放射源が採用されており、さらにプログラマブルパターニングデバイスは、基板テーブルＷＴの移動後ごとに、またはスキャン中の連続する放射パルスと放射パルスとの間に、必要に応じて更新される。この動作モードは、前述の型のプログラマブルミラーアレイといったプログラマブルパターニングデバイスを利用するマスクレスリソグラフィに容易に適用することができる。
【００３３】
[0033]  上述の使用モードの組合せおよび／またはバリエーション、あるいは完全に異なる使用モードもまた採用可能である。上記したように、照明システムＩＬは、強度分布調整装置を含む。パターニングデバイスに入射する放射ビームの角強度分布を制御するためには、強度分布調整装置は、照明システム内の瞳面における放射ビームの空間強度分布を調整するように構成される。強度分布調整装置を用いて照明システムの瞳面における異なる照明モードを選択できる。照明モードの選択は、例えば、パターニングデバイスＭＡから基板Ｗ上に投影されるべきパターンの性質による。照明システムの瞳面における放射ビームの空間強度分布は、放射ビームがパターニングデバイス（例えば、マスク）ＭＡに入射する前に角強度分布に変換される。照明システムの瞳面とパターニングデバイスＭＡ（パターニングデバイスはフィールド面内にある）との間にフーリエ関係があることが分かる。照明システムの瞳面は、パターニングデバイスＭＡが配置される物体平面のフーリエ変換平面であり、投影システムの瞳面と共役である。
【００３４】
[0034]  図２ａは、放射源コレクタモジュールＳＯ、照明システムＩＬおよび投影システムＰＳを含む装置１００をより詳細に示す。放射源コレクタモジュールＳＯは、真空環境を放射源コレクタモジュールＳＯの密閉構造２２０内で維持することができるように構成される。ＥＵＶ放射放出プラズマ２１０は、放電生成プラズマ源によって形成されてよい。ＥＵＶ放射は、ガスまたは蒸気、例えばＸｅガス、Ｌｉ蒸気またはＳｎ蒸気によって生成されてよい。このガスまたは蒸気では、電磁スペクトルのＥＵＶ範囲内の放射を放出するために非常に高温のプラズマ２１０が生成される。非常に高温のプラズマ２１０は、例えば放電によって生成され、これは少なくとも部分的にイオン化されたプラズマをもたらす。例えば、１０ＰａのＸｅ、Ｌｉ、Ｓｎ蒸気あるいは任意の他の適したガスまたは蒸気の分圧は、放射の効率的な生成のために必要とされる場合がある。一実施形態では、ＥＵＶ放射を生成するために励起されたスズ（Ｓｎ）のプラズマが提供される。
【００３５】
[0035]  高温のプラズマ２１０によって放出された放射は、放射源チャンバ２１１から、放射源チャンバ２１１における開口部内またはその後方に位置決めされた任意選択のガスバリアまたは汚染物質トラップ２３０（一部の場合、汚染物質バリアまたはフォイルトラップとも呼ばれている）を介してコレクタチャンバ２１２へと進む。汚染物資トラップ２３０は、チャネル構造を含んでもよい。汚染トラップ２３０は、ガスバリア、またはガスバリアとチャネル構造との組み合わせも含んでもよい。本明細書中にさらに述べる汚染物質トラップまたは汚染物質バリア２３０は、当該技術分野で公知であるように、少なくともチャネル構造を含む。
【００３６】
[0036]  コレクタチャンバ２１１は、いわゆるかすめ入射コレクタであり得る放射コレクタＣＯを含んでもよい。放射コレクタＣＯは、上流放射コレクタ側２５１および下流放射コレクタ側２５２を有する。コレクタＣＯを通り抜けた放射は、格子スペクトルフィルタ２４０から反射して仮想放射源ポイントＩＦで合焦することができる。仮想放射源ポイントＩＦを一般的に中間焦点と呼び、放射源コレクタモジュールは、中間焦点ＩＦが密閉構造２２０内の開口部２２１にまたはその近くに配置されるように構成される。仮想放射源ポイントＩＦは、放射放出プラズマ２１０の像である。
【００３７】
[0037]  その後、放射は照明システムＩＬを通り抜け、この照明システムＩＬは、パターニングデバイスＭＡにて放射ビームＢの所望の角分布ならびにパターニングデバイスＭＡにて放射強度の所望の均一性を提供するように構成されたファセット視野ミラーデバイス２２（以下、第１反射コンポーネント２２とも呼ぶ）およびファセット瞳ミラーデバイス２４（以下、第２反射コンポーネント２４とも呼ぶ）を含んでよい。サポート構造ＭＴによって保持されるパターニングデバイスＭＡにて放射ビームＢが反射すると、パターン付けされたビーム２６が形成され、このパターン付けされたビーム２６は、投影システムＰＳによって反射要素２８および３０を介してウェーハステージまたは基板テーブルＷＴによって保持された基板Ｗ上に結像される。
【００３８】
[0038]  照明光学ユニットＩＬおよび投影システムＰＳ内には、通常、図示されたものよりも多くの要素が存在し得る。格子スペクトルフィルタ２４０は、リソグラフィ装置のタイプに依存し、任意的に存在してもよい。さらに、図示されているものより多くのミラーがあってもよく、例えば、図２ａに示す投影システムＰＳ内に存在する反射要素より１〜６個多くの反射要素が存在してもよい。
【００３９】
[0039]  図２ａに示すように、集光系(collector optic)ＣＯは、単なるコレクタ（または集光ミラー）の一例として、かすめ入射リフレクタ２５３、２５４および２５５を有する入れ子化されたコレクタとして示される。かすめ入射リフレクタ２５３、２５４および２５５は、光軸Ｏの周りで軸対称に配置され、このタイプの集光系ＣＯは、ＤＰＰ源と呼ばれることが多い放電生成プラズマ源と組み合わせて使用されることが好ましい。
【００４０】
[0040]  あるいは、図２ｂに示すように、放射源コレクタモジュールＳＯはＬＰＰ放射システムの一部分であってもよい。レーザＬＡは、キセノン（Ｘｅ）、スズ（Ｓｎ）またはリチウム（Ｌｉ）などの燃料にレーザエネルギーを堆積させるように構成され、数十ｅＶの電子温度を有する高イオン化されたプラズマ２１０を生成する。これらのイオンの逆励起および再結合中に生成されるエネルギー放射はプラズマから放出され、近くの法線入射集光系ＣＯによって集光されて密閉構造２２０内の開口部２２１上で合焦される。
【００４１】
[0041]  本明細書において、ＩＣ製造におけるリソグラフィ装置の使用について具体的な言及がなされているが、本明細書記載のリソグラフィ装置が、集積光学システム、磁気ドメインメモリ用のガイダンスパターンおよび検出パターン、フラットパネルディスプレイ、液晶ディスプレイ（ＬＣＤ）、薄膜磁気ヘッド等の製造といった他の用途を有し得ることが理解されるべきである。当業者にとっては当然のことであるが、そのような別の用途においては、本明細書で使用される「ウェーハ」または「ダイ」という用語はすべて、それぞれより一般的な「基板」または「ターゲット部分」という用語と同義であるとみなしてよい。本明細書に記載した基板は、露光の前後を問わず、例えば、トラック（通常、基板にレジスト層を塗布し、かつ露光されたレジストを現像するツール）、メトロロジーツール、および／またはインスペクションツールで処理されてもよい。適用可能な場合には、本明細書中の開示内容を上記のような基板プロセシングツールおよびその他の基板プロセシングツールに適用してもよい。さらに基板は、例えば、多層ＩＣを作るために複数回処理されてもよいので、本明細書で使用される基板という用語は、すでに多重処理層を包含している基板を表すものとしてもよい。
【００４２】
[0042]  光リソグラフィの関連での本発明の実施形態の使用について上述のとおり具体的な言及がなされたが、当然のことながら、本発明は、他の用途、例えば、インプリントリソグラフィに使われてもよく、さらに状況が許すのであれば、光リソグラフィに限定されることはない。インプリントリソグラフィにおいては、パターニングデバイス内のトポグラフィによって、基板上に創出されるパターンが定義される。パターニングデバイスのトポグラフィは、基板に供給されたレジスト層の中にプレス加工され、基板上では、電磁放射、熱、圧力、またはそれらの組合せによってレジストは硬化される。パターニングデバイスは、レジストが硬化した後、レジスト内にパターンを残してレジストの外へ移動される。
【００４３】
[0043]  「レンズ」という用語は、文脈によっては、屈折、反射、磁気、電磁気、および静電型光コンポーネントを含む様々な種類の光コンポーネントのいずれか１つまたはこれらの組合せを指すことができる。
【００４４】
[0044]  以上、本発明の具体的な実施形態を説明してきたが、本発明は、上述以外の態様で実施できることが明らかである。例えば、本発明は、上記に開示した方法を表す１つ以上の機械読取可能命令のシーケンスを含むコンピュータプログラムの形態、またはこのようなコンピュータプログラムが記憶されたデータ記憶媒体（例えば、半導体メモリ、磁気ディスクまたは光ディスク）の形態であってもよい。上記の説明は、制限ではなく例示を意図したものである。したがって、当業者には明らかなように、添付の特許請求の範囲を逸脱することなく本記載の発明に変更を加えてもよい。
【００４５】
[0045]  図３は、より詳細な第１反射コンポーネントおよび第２反射コンポーネントを含むリソグラフィ装置の一部を概略的に示す。第１反射コンポーネント２２は、一次反射要素２２ａ、２２ｂ、２２ｃおよび２２ｄを含む複数の一次反射要素を含む。第２反射コンポーネント２４は、二次反射要素２４ａ、２４ｂ、２４ｃ、２４ｄ、２４ａ’、２４ｂ’、２４ｃ’および２４ｄ’を含む複数の二次反射要素を含む。以下、一次反射要素および二次反射要素は、それぞれ、視野ファセットミラーおよび瞳ファセットミラーとも呼ぶ。一次反射要素２２ａ〜ｄは、放射を二次反射要素２４ａ〜ｄおよびａ’〜ｄ’に向かって誘導（反射）するように構成される。４つの一次反射要素２２ａ〜ｄのみしか示されていないが、あらゆる数の一次反射要素が設けられてもよい。一次反射要素は、二次元アレイ（または他の何らかの二次元構成）で構成されてよい。８つの二次反射要素２４ａ〜ｄおよびａ’〜ｄ’のみしか示されていないが、あらゆる数の二次反射要素（通常、その数は一次反射要素の数の倍数である）が設けられてもよい。二次反射要素は、二次元アレイ（または他の何らかの二次元構成）で構成されてよい。
【００４６】
[0046]  一次反射要素２２ａ〜ｄは調整可能な向きを有しており、放射を選択された反射要素２４ａ〜ｄおよびａ’〜ｄ’に向かって誘導するために使用されてよい。
【００４７】
[0047]  第２反射コンポーネント２４は、照明システムＩＬの瞳面Ｐと一致するか、または、照明システムの瞳面の最も近くに配置される。したがって、第２反射コンポーネント２４は、放射をパターニングデバイスＭＡに誘導する仮想放射源（一般的に、二次放射源とも呼ぶ）としての機能を果たす。さらなるミラー（図示せず）が、第２反射コンポーネント２４とパターニングデバイスＭＡとの間に設けられてよい。後者のミラーはミラー系であってよく、一次反射要素２２ａ〜ｄを平面上に結像するように構成されてよい。使用中、パターニングデバイスＭＡは基板テーブルＭＴによって保持される。
【００４８】
[0048]  第２反射コンポーネント２４での放射ビームＢの空間強度分布は、放射ビームの照明モードを定義する。一次反射要素２２ａ〜ｄは調整可能な向きを有するため、それらを用いて瞳面Ｐで異なる空間強度分布を形成してよく、それによって異なる照明モードを提供する。
【００４９】
[0049]  使用中、放射ビームＢは、第１反射コンポーネント２２の一次反射要素２２ａ〜ｄに入射する。一次反射要素２２ａ〜ｄの各々は、放射サブビームを第２反射コンポーネント２４の異なる二次反射要素２４ａ〜ｄおよびａ’〜ｄ’に向かって反射する。第１サブビームＢａは、第１一次反射要素２２ａによって第１二次反射要素２４ａへと誘導される。第２、第３および第４サブビームＢｂ、ＢｃおよびＢｄは、それぞれ、第２、第３および第４一次反射要素２２ｂ、２２ｃおよび２２ｄによって第２、第３および第４二次反射要素２４ｂ、２４ｃおよび２４ｄに誘導される。
【００５０】
[0050]  サブビームＢａ〜ｄは、二次反射要素２４ａ〜ｄによってパターニングデバイスＭＡに向かって反射される。サブビームは、合わせて、マスクＭＡ上の照明エリアＥを照明する単一の放射ビームＢを形成すると考えられてよい。照明エリアＥの形状は、一次反射要素２２ａ〜ｄの形状によって決定される。スキャンリソグラフィ装置では、照明エリアＥは、例えば、長方形または湾曲したバンドであってよく、ここではスキャン方向の幅は、スキャン方向と垂直な方向の幅より狭い。
【００５１】
[0051]  一次反射要素２２ａ〜ｄの各々は、第２反射コンポーネント２４の異なる二次反射要素２４ａ〜ｄおよびａ’〜ｄ’にて中間焦点ＩＦの像を形成する。実際には、中間焦点ＩＦはプラズマ源の像となり、その像は有限直径（例えば、４〜６ｍｍ）を有する。結果的に、一次反射要素２２ａ〜ｄの各々は、二次反射要素２４ａ〜ｄおよびａ’〜ｄ’にて有限直径（例えば、３〜５ｍｍ）を有する仮想源ポイントＩＦの像を形成する。二次反射要素２４ａ〜ｄおよびａ’〜ｄ’の各々は、（放射が第２反射要素間に落ち、それによって放射が失われることを回避するために）上記の像の直径より大きい直径を有する単一の瞳ファセットミラーとして構成されてよい。中間焦点ＩＦおよびその像は、便宜上、図の中では点として示されている。
【００５２】
[0052]  一次反射要素および二次反射要素は、ゼロとは異なる光パワーを有してよい。例えば、一次反射要素２２ａ〜ｄの各々は、照射された二次反射要素でまたはその近くで、仮想源ポイントＩＦより小さい仮想源ポイントＩＦの縮小された像を形成してよい。二次反射要素２４ａ〜ｄおよびａ’〜ｄ’の各々は、パターニングデバイスが配置されるフィールド面でまたはその近くで一次反射要素２２ａ〜ｄのうちの１つの像を基板の露光中に形成してよい。これらの像は実質的に重なっており、合わせて照明エリアＥを形成する。
【００５３】
[0053]  一次反射要素２２ａ〜ｄの向きは、瞳面Ｐで形成される照明モードを決定する。例えば、一次反射要素２２ａ〜ｄは、放射サブビームが４つの最も内側の二次反射要素２４ｃ、ｄ、ａ’およびｂ’に誘導されるように指向されてよい。これは、従来の（ディスク状）の照明モードの一次元等価物として考えられ得る照明モードを提供する。そのような従来の照明モードは、相対的に低いあるいはゼロの強度の部分によって囲まれる、光軸Ｏを中心とする相対的に高い強度の部分を有する瞳面内の強度分布によって特徴付けられる。したがって、以下、これを従来の「オンアクシス」照明モードと呼ぶ。代替の例では、一次反射要素２２ａ〜ｄは、放射サブビームが第２反射コンポーネント２４の左端の２つの二次反射要素２４ａ〜ｂ、および第２反射コンポーネントの右端の２つの二次反射コンポーネント２４ｃ’〜ｄ’に誘導されるように指向されてよい。これは、例えば、環状照明モードの一次元等価物として考えられ得る照明モードを提供する。そのような照明モードは、相対的に高い強度の少なくとも一部を有するエリアによって囲まれる、光軸Ｏを中心とする相対的に低いあるいはゼロの強度の部分を有する瞳面内の強度分布によって特徴付けられる。したがって、以下、これを「オフアクシス」照明モードと呼ぶ。
【００５４】
[0054]  要素２２ａ〜ｄのうちのいずれかのような一次反射要素の各々は、第１の向きおよび第２の向きといった２つの所定の向きのうちの１つであり得るように構成される。第１の向きは、一次反射要素が放射サブビームを第２反射コンポーネント２４上の第１の所望の配置内に含まれる選択された二次反射コンポーネントに向かって反射するように構成される。第２の向きは、一次反射要素が放射サブビームを第２反射コンポーネント２４上の第２の所望の配置内に含まれる選択された二次反射要素に向かって反射するように構成される。さらに、図３に示す視野ファセット２２ａ〜ｄのうちのいずれかのような一次反射要素の各々は、その関連する第１の向きと第２の向きとの間で移動可能である。
【００５５】
[0055]  第１の向きを有する視野ファセットミラーが、使用中、複数の二次反射要素から特別に選択された特定の予め選択された二次反射要素を照射することを示すために、以下、これを第１「関連」二次反射要素と呼ぶ。同様に、視野ファセットミラーが第２の向きを有した場合に照明される要素を、第２「関連」二次反射要素と呼ぶ。同様に、上記の第１および第２の所望の配置は、以下、第１および第２「関連」配置とも呼ぶ。
【００５６】
[0056]  図４は、第１反射コンポーネント２２の第１一次反射要素２２ａを例として用いて、第１の向きと第２の向きとの間の一次反射要素の動きを示す。第１一次反射要素２２ａが第１の向きを有した場合、これは、放射サブビームＢａを第２反射コンポーネント２４の第１二次反射２４ａに向かって誘導する。第１一次反射要素２２ａが第２の向きを有した場合、これは、放射サブビームＢａ’（点線で示す）を第２反射コンポーネント２４の第２二次反射２４ａ’に向かって誘導する。対応する第１および第２配置は図４に明確に示していない。図４では、第１配置および第２配置は、第１二次反射要素２４ａおよび第２二次反射要素２４ａ’のそれぞれによって占有された配置と一致することが想定されてよいが、以下にさらに詳細に記載するように、第１配置および第２配置は瞳面Ｐ内の離れたエリアであり、各々は複数の二次反射要素を含み得る。
【００５７】
[0057]  要素２２ａ〜ｄの群などのような一次反射要素の群のうちの各一次反射要素は、放射サブビームを一次反射要素２２ａ〜ｄの各々に関連する第１配置および第２配置に誘導するように構成されてよい。この第１配置および第２配置は、要素２２ａ〜ｄの群などのような一次反射要素の群に属さない他の一次反射要素から放射サブビームを受ける配置とは異なりかつユニークである。各一次反射要素２２ａ〜ｄを適切に構成することにより、放射は、所望の照明モードに対応する空間強度分布を生成するように第２反射コンポーネント２４での所要の配置に向かって誘導されてよい。
【００５８】
[0058]  図３および図４は４つの一次反射要素２２ａ〜ｄのみを示しているが、第１反射コンポーネント２２は、さらに多くの一次反射要素を含んでもよい。第１反射コンポーネント２２は、例えば、１００個、２００個または４００個までの一次反射要素を含んでもよい。第１反射コンポーネント２２は、例えば、１００〜８００個の範囲内のあらゆる数の一次反射要素を含んでよい。反射要素はミラーであってよい。第１反射コンポーネント２２は、１０２４個（例えば、３２×３２）のミラーまたは４０９６個（例えば、６４×６４）のミラー、あるいは任意の適切な数のミラーを含んでよい。一次反射要素は、二次元のグリッド状形成で構成されてよい。一次反射要素は、放射ビームを横切る平面内に構成されてよい。
【００５９】
[0059]  第１反射コンポーネント２２は、一次反射要素の１つ以上のアレイを含んでよい。例えば、一次反射要素は、複数のアレイを形成するように構成またはグルーピングされてよく、各アレイは、例えば、３２×３２のミラーを有する。本明細書中、「アレイ」という単語は、単一のアレイまたはアレイの群を指すことができる。
【００６０】
[0060]  二次反射要素２４ａ〜ｄおよびａ’〜ｄ’は、二次反射要素の向きが第２反射コンポーネントの取り付け面に対して固定されるように取り付けられてよい。
【００６１】
[0061]  図５および図６は、瞳面Ｐでの空間強度分布を変更するために放射を再誘導し、それによって所望の照明モードを得るという原理を概略的に示す。図５ｂおよび図６ｂの図面平面は、図５ａおよび図６ａに示す瞳面Ｐと一致する。図の説明を簡略化するために図５ｂおよび図６ｂにはデカルト座標が示されている。示されたデカルト座標は、本発明を用いて得ることができる空間強度分布の向きに対する限定を意図してない。空間強度分布の半径範囲は、σinner（内側半径範囲）およびσouter（外側半径範囲）によって画定される。内側および外側半径範囲は、円形であっても何らかの他の形状を有していてもよい。
【００６２】
[0062]  上記したように、瞳面Ｐ内の放射ビームの空間強度分布（したがって、照明モード）は、要素２２ａ〜ｄなどの一次反射要素の向きによって決定される。例えば、照明モードは、一次反射要素２２ａ〜ｄの各々を選択し、その後、必要に応じてその第１の向きまたは第２の向きに移動させることによって提供および制御されてよい。
【００６３】
[0063]  この例では、１６個の一次反射要素があり、そのうち４つのみが図５ａおよび図６ａに示されている（一次反射要素２２ａ〜ｄ）。図５ｂに示すように、一次反射要素２２ａ〜ｄがそれぞれの第１の向きを有した場合、放射サブビームＢａ、Ｂｂ、ＢｃおよびＢｄは関連第１配置７２４ａ、７２４ｂ、７２４ｃおよび７２４ｄに向かって反射される。図５ａおよび図６ａに示すように、これらの配置は、それぞれ、二次反射要素２４ａ、２４ｂ、２４ｃおよび２４ｄを含む。図５ｂを再び参照すると、第１配置７２４ａ〜ｄは、図の上部にあるかまたはそれに近い。他の一次反射要素（図示せず）もその第１の向きを有し、図の上部にあるかまたはそれに近いあるいは図５ｂの下部にあるかまたはそれに近い隣接する第１配置の群７３,７４および７５に放射サブビームを誘導する。放射サブビームを受ける配置には、点線を用いて陰影を付けている。一次反射要素２２ａ〜ｄがその第１の向きを有して他の一次反射要素（図示せず）も第１の向きを有している場合、極がｙ方向に分かれているダイポール照明モードが形成されることが図５ｂから分かる。
【００６４】
[0064]  一次反射要素２２ａ〜ｄがその第２の向きを有している場合、図６ｂに示すように、放射サブビームは、関連第２配置７２４ａ’、７２４ｂ’、７２４ｃ’および７２４ｄ’に向かって反射される。図５ａおよび図６ａに示すように、これらの配置は、それぞれ、二次反射要素２４ａ’、２４ｂ’、２４ｃ’および２４ｄ’を含む。図６ｂを参照すると、第２配置７２４ａ’〜ｄ’は、図の右側にあるかまたはその近くにある。上記の他の一次反射要素もその第２の向きを有しており、図の右側にあるかまたはそれに近いあるいは図の左側にあるかまたはそれに近い隣接する第２配置の群７６、７７および７８に放射サブビームを誘導する。放射サブビームを受ける配置には、点線を用いて陰影を付けている。一次反射要素２２ａ〜ｄおよび他の一次反射要素が第２の向きを有している場合、極がｘ方向に分かれているダイポール照明モードが形成されることが図６ｂから分かる。
【００６５】
[0065]  ｙ方向ダイポール照明モードからｘ方向ダイポール照明モードへ切り替えることは、一次反射要素２２ａ〜ｄの各々を第１の向きから第２の向きへと移動させることを含む。同様に、ｘ方向ダイポール照明モードからｙ方向ダイポール照明モードへ切り替えることは、一次反射要素２２ａ〜ｄの各々を第２の向きから第１の向きへと移動させることを含む。
【００６６】
[0066]  以下にさらに説明するように、他の照明モードの形成は、一部の一次反射要素２２ａ〜ｄを第１の向きに、一部を第２の向きに移動させることを含んでよい。各一次反射要素に関連する第１配置および第２配置ならびに各一次反射要素の対応する第１の向きおよび第２の向きは、生成することができる有用な照明モードの数を最大にするように選択されてよい。
【００６７】
[0067]  一次反射要素は、所定の軸の周りを回転することによって第１の向きと第２の向きとの間で移動されてよい。一次反射要素は、アクチュエータを用いて移動されてよい。
【００６８】
[0068]  １つ以上の一次反射要素は、同じ所定の軸の周りで駆動されて回転するように構成されてよい。１つ以上の他の一次反射要素は、他の所定の軸の周りで駆動されて回転するように構成されてよい。
【００６９】
[0069]  一実施形態では、一次反射要素は、第１の向きと第２の向きとの間で一次反射要素を移動させるように構成されたアクチュエータを含む。例えば、アクチュエータは、モータであってよい。第１の向きおよび第２の向きは、エンドストップによって規定されてよい。第１エンドストップは、一次反射要素が第１の向きを越えて移動することを防ぐ機械装置を含んでよい。第２エンドストップは、一次反射要素が第２の向きを越えて移動することを防ぐ機械装置を含んでよい。エンドストップを含む一次反射要素のための適切なマウントを以下にさらに説明する。
【００７０】
[0070]  一次反射要素の動きはエンドストップによって制限されているため、一次反射要素は、一次反射要素の位置を監視する必要なく（例えば、位置監視センサおよびフィードバックシステムの使用を必要とすることなく）第１の向きまたは第２の向きに正確に移動することができる。一次反射要素は、パターニングデバイスから基板上へのパターンのリソグラフィ投影に使用するのに十分な品質の照明モードを形成し得るほど十分に正確に指向され得る。
【００７１】
[0071]  アクチュエータに供給されるドライバ信号はバイナリ信号であってよい。アクチュエータは一次反射要素を第１エンドストップまたは第２エンドストップに移動させるだけでよいので、可変のアナログ電圧または可変のデジタル電圧などのより複雑な信号を使用する必要はない。より複雑なシステムの代わりにアクチュエータのためのバイナリ（二値）ドライバ信号の使用は、信号を使用しない場合と比較してより単純な制御システムが使用されることを可能にする。
【００７２】
[0072]  図５および図６に関連して上記した装置は、１６個の一次反射要素および第２反射コンポーネント２４上の３２個の配置を含む。実際には、より多くの一次反射要素が設けられてもよいが、いくつかの異なる照明モードを得ることができる方法を示すには、１６個の一次反射要素が十分な数である。以下の照明モード、環状、ｃ−ｑｕａｄ、クエーサー、ダイポールｙおよびダイポールｘは、第２反射コンポーネント２４上のそれぞれの３２個の配置に関連する１６個の一次反射要素を用いて得ることができる。これらの照明モードは、照明システムの瞳面における３２個の関連配置のうちの１６個の所望の選択内容に向かって放射を適切に誘導するように１６個の一次反射要素を構成することによって形成される。第２反射コンポーネント２４の瞳ファセットミラーの反射面は瞳面にまたはそのすぐ近くに配置されるため、第２反射コンポーネント２４上の配置が効果的に特定されかつ照明システムの瞳面における配置として示されることが理解される。便宜上、以下、第２反射コンポーネント上の「配置」と照明システムの瞳面における「配置」との間に違いはない。
【００７３】
[0073]  図７は、瞳面と交差する光軸Ｏの周囲に環状に構成された多数の配置を含む照明システム内の瞳面の第１クアドラントＱ１を示す。照明システムは、５つの異なる所望の照明モードを生成するように構成される。クアドラントの配置７２４ａ〜ｄ、７２４ａ’〜ｄ’は、第１反射要素２２ａ〜ｄのそれぞれから放射サブビームＢａ、Ｂｂ、ＢｃおよびＢｄを受けてよい。照明配置の内側半径範囲をσinnerと呼ぶ。照明配置の外側半径範囲はσouterと呼ぶ。便宜上、図７では、各配置はただ１つの二次反射要素と関連し得ると想定される。図７では、配置７２４ａ〜ｄおよび７２４ａ’〜ｄ’は、二次反射要素２４ａ〜ｄおよび二次反射要素２４ａ’〜ｄ’のそれぞれと関連付けられている。
【００７４】
[0074]  しかしながら、代替的に複数の二次反射要素が各配置と関連付けられてもよいことが理解される。例えば、各配置に対して１０〜２０個の二次反射要素が設けられてもよい。この場合、一次反射要素の数は必要に応じて定められる。例えば、所定の照明配置に１０個の二次反射要素があった場合、その配置に放射を誘導するように構成された１０個の一次反射要素がある（一次反射要素のそれぞれは、放射を配置内の異なる二次反射要素に誘導するように構成される）。以下の説明で「一次反射要素」という単語が使用されるところでは、これは一体的に移動するように構成された複数の一次反射要素を包含してよい。
【００７５】
[0075]  瞳面にわたる照明配置の相対面積、すなわち、投影レンズの開口数に対応する瞳面積によって正規化される構成配置の表面積は、（σouter２-σinner２）／２となる。したがって、使用される瞳面積の逆として規定されるエタンデュ比ＸはＸ＝２／（σouter２-σinner２）となる。
【００７６】
[0076]  図７に示すクアドラントＱ１では、（瞳面全体にわたる３２の配置に対応する）８個の二次反射デバイス２４ａ〜ｄおよび２４ａ’〜ｄ’を含む８つの配置がある。各配置は、一次反射要素によって反射される放射サブビームによって照明されるようにサイズ設定および形作られる。各一次反射要素は、同じクアドラントの異なる部分から２つの異なる配置を別々に照明するように構成される。より具体的には、各一次反射要素は、放射を誘導するように第１の向きと第２の向きとの間で移動するように構成され、それによって同じクアドラント内の第１関連配置または第２関連配置のいずれかを照明し、よって第１関連二次反射要素または第２関連二次反射要素のいずれかを照射する。
【００７７】
[0077]  配置の対７２４ａ，ａ’、７２４ｂ，ｂ’、７２４ｃ，ｃ’および７２４ｄ，ｄ’は図７の同じクアドラントＱ１に設けられるが、この場合に限らない。例えば、第１配置は一つのクアドラントに設けられ、対応する第２配置は異なるクアドラントに設けられてもよい。配置の対の第１配置と第２配置との間の離隔が増大した場合、それらの配置に放射サブビームを誘導するために一次反射要素によって要求される回転の量も増加する。配置の位置は、一次反射要素の所要の回転が最小限にされるか、または一次反射要素のどれもが所定の最大回転より多く回転することが要求されないように選択されてよい。（例えば、図８に関連して以下にさらに説明するように）配置の位置は、照明モードの所望のセットを得ることができるような位置であってよい。
【００７８】
[0078]  第１一次反射要素２２ａ（図５および図６を参照）は、第１の向きに指向された場合、クアドラントＱ１の第１関連配置７２４ａを照明し、第２の向きに指向された場合、クアドラントの第２関連配置７２４ａ’を照明するように構成される。第２一次反射要素２２ｂは、第１の向きに指向された場合、第１関連配置７２４ｂを照明し、第２の向きに指向された場合、第２関連配置７２４ｂ’を照明するように構成される。第３一次反射要素２２ｃは、第１の向きに指向された場合、第１関連配置７２４ｃを照明し、第２の向きに指向された場合、第２関連配置７２４ｃ’を照明するように構成される。第４一次反射要素２２ｄは、第１の向きに指向された場合、第１関連配置７２４ｄを照明し、第２の向きに指向された場合、第２関連配置７２４ｄ’を照明するように構成される。
【００７９】
[0079]  配置および関連する一次反射要素の同等の構成が他のクアドラント（図示せず）に適用されてもよい。
【００８０】
[0080]  各一次反射要素は、所定の軸の周りを回転することによって第１の向きと第２の向きとの間で移動されてよい。複数の一次反射要素は、同じ軸の周りを回転できるように構成されてよい。例えば、瞳面の同じクアドラント内の隣接した配置の対に関連する一次反射要素の対は、同じ軸の周りを回転するように構成されてよい。図示した例では、隣接した配置の対７２４ａおよび７２４ｂに関連する第１および第２一次反射要素２２ａ、２２ｂは、第１軸ＡＡの周りを回転するように構成され、隣接した配置の対７２４ｃおよび７２４ｄに関連する第３および第４一次反射要素２２ｃおよび２２ｄは、第２軸ＢＢの周りで回転するように構成される。第１軸ＡＡはクアドラントＱ１内のｘ軸に対して５６．２５°で構成され、第２軸ＢＢはクアドラントＱ１内の軸に対して３３．７５°で構成される。第１軸ＡＡおよび第２軸Ｂは図７の平面に示されているが、これは便宜上の目的である。軸は第１反射コンポーネント２２の平面にまたはその近くにあり、より具体的には、一次反射要素の対２２ａ,ｂおよび２２ｃ，ｄの回転中心(pivot point)を含む平面にまたはその近くにある。第１軸ＡＡおよび第２軸ＢＢは、照明システムの光軸Ｏを通る。
【００８１】
[0081]  さらにまたは代替的に、瞳面の対向するクアドラント内の対応する配置に関連する一次反射要素は、同じ軸の周りを回転するように構成されてよい。例えば、第１クアドラントＱ１に関連する一次反射要素２２ａ，ｂおよび対応する第３クアドラントに関連する一次反射要素は、第１軸ＡＡの周りを回転するように構成されてよい。同様に、第１クアドラントＱ１に関連する一次反射要素２２ｃ，ｄおよび対応する第３クアドラントに関連する一次反射要素は、第２軸ＢＢの周りを回転するように構成されてよい。
【００８２】
[0082]  第２クアドラントに関連する一次反射要素および第４クアドラントに関連する一次反射要素は、第３軸の周りを回転されてよい（例えば、ｘ軸に対して１２３．７５°で構成される）。さらに、第２クアドラントに関連する一次反射要素および第４クアドラントに関連する一次反射要素は、第４軸の周りを回転されてよい（例えば、ｘ軸に対して１４６．２５°で構成される）。これらのクアドラントどちらとも図７に示されていない。
【００８３】
[0083]  一次反射要素は、同じ軸の周りを同じ方向または反対方向に回転するように構成されてよい。
【００８４】
[0084]  一次反射要素が同じ軸の周りを回転しかつ同じ方向に回転するようにまとめられた場合、一次反射要素をその第１の向きと第２の向きとの間で移動させるように構成されたアクチュエータは単純化され得る。例えば、同じ軸の周りを回転するようにまとめられた一次反射要素に関連するアクチュエータは、その一次反射要素を一体的に移動させるように構成されてよい。したがって、４つの所定の回転軸がある一実施形態では、４つのアクチュエータがあり得る。
【００８５】
[0085]  図８は、記載の装置を用いて（すなわち、１６個の一次反射要素および４つの回転軸を用いて）、５つの異なる照明モードがどのように照明システムの瞳面で形成され得るかを示す。照明モードは、以下のモード、環状照明モード（図８ａ）、ダイポールｘ照明モード（図８ｂ）、ダイポールｙ照明モード（図８ｃ）、クエーサー照明モード（図８ｄ）およびｃ−ｑｕａｄ照明モード（図８ｅ）を含む。
【００８６】
[0086]  環状照明モードを生成するためには、図８ａに示すように、第１クアドラントに関連する一次反射要素２２ａ〜ｄは、配置７２４ｂ、７２４ｄ、７２４ａ’および７２４ｃ’が照明されるように指向される。これは、第１一次反射要素２２ａをその第２の向きになるように第１軸ＡＡの周りを回転させ、第２一次反射要素２２ｂをその第１の向きになるように第１軸ＡＡの周りを回転させ、第３一次反射要素２２ｃをその第２の向きになるように第２軸ＢＢの周りを回転させ、および第４一次反射要素２２ｄをその第１の向きになるように第２軸ＢＢの周りを回転させることによって達成される。第２、第３および第４クアドラントの配置に関連する一次反射要素も同様に指向される。
【００８７】
[0087]  ダイポールｘ照明モードを生成するためには、図８ｂに示すように（図６ｂも参照）、第１クアドラントに関連する一次反射要素は、配置７２４ｂ’、７２４ａ’、７２４ｄ’および７２４ｃ’が照明されるように指向される。これは、第１一次反射要素２２ａをその第２の向きになるように第１軸ＡＡの周りを回転させ、第２一次反射要素２２ｂをその第２の向きになるように第１軸ＡＡの周りを回転させ、第３一次反射要素２２ｃをその第２の向きになるように第２軸ＢＢの周りを回転させ、および第４一次反射要素２２ｄをその第２の向きになるように第２軸ＢＢの周りを回転させることによって達成される。第２、第３および第４クアドラントの配置に関連する一次反射要素も同様に指向される。
【００８８】
[0088]  ダイポールｙ照明モードを生成するためには、図８ｃに示すように（図５ｂも参照）、第１クアドラントに関連する一次反射要素は、配置７２４ａ、７２４ｂ、７２４ｃおよび７２４ｄが照明されるように指向される。これは、第１一次反射要素２２ａをその第１の向きになるように第１軸ＡＡの周りを回転させ、第２一次反射要素２２ｂをその第１の向きになるように第１軸ＡＡの周りを回転させ、第３一次反射要素２２ｃをその第１の向きになるように第２軸ＢＢの周りを回転させ、および第４一次反射要素２２ｄをその第１の向きになるように第２軸ＢＢの周りを回転させることによって達成される。第２、第３および第４クアドラントの配置に関連する一次反射要素も同様に指向される。
【００８９】
[0089]  クエーサー照明モードを生成するためには、図８ｄに示すように、第１クアドラントに関連する一次反射要素は、配置７２４ｃ、７２４ｄ、７２４ｂ’および７２４ａ’が照明されるように指向される。これは、第１一次反射要素２２ａをその第２の向きになるように第１軸ＡＡの周りを回転させ、第２一次反射要素２２ｂをその第２の向きになるように第１軸ＡＡの周りを回転させ、第３一次反射要素２２ｃをその第１の向きになるように第２軸ＢＢの周りを回転させ、および第４一次反射要素２２ｄをその第１の向きになるように第２軸ＢＢの周りを回転させることによって達成される。第２、第３および第４クアドラントの配置に関連する一次反射要素も同様に指向される。
【００９０】
[0090]  ｃ−ｑｕａｄ照明モードを生成するためには、図８ｅに示すように、第１クアドラントに関連する一次反射要素は、配置７２４ａ、７２４ｂ、７２４ｄ’および７２４ｃ’が照明されるように指向される。これは、第１一次反射要素２２ａをその第１の向きになるように第１軸ＡＡの周りを回転させ、第２一次反射要素２２ｂをその第１の向きになるように第１軸ＡＡの周りを回転させ、第３一次反射要素２２ｃをその第２の向きになるように第２軸ＢＢの周りを回転させ、および第４一次反射要素２２ｄをその第２の向きになるように第２軸ＢＢの周りを回転させることによって達成される。第２、第３および第４クアドラントの配置に関連する一次反射要素も同様に指向される。任意の上記の例では、（二次反射コンポーネント上の）配置の照明は放射サブビームを対応する二次反射要素に誘導することを含むことが理解される。
【００９１】
[0091]  図８に示す照明モードの上記の説明では、第２、第３および第４クアドラントの配置に関連する一次反射要素も第１クアドラントと同様に指向されると述べている。以下ではこれがどのように行われるかについて説明する。ダイポール、クエーサーおよびｃ−ｑｕａｄモードはｘ軸およびｙ軸に対して対称であることが図８から分かる。しかしながら、図８ａの環状モードはｘ軸およびｙ軸に対して対称ではないが、（９０°またはその倍数の回転に対して）回転対称である。
【００９２】
[0092]  本発明の一態様によると、所望の照明モードが同じ対称を共有しない場合、配置の位置は、各配置の対が関連する配置の対を有し、２つの対がクアドラントを二等分にするラインＳＳに対して対称になるように構成されてよい（図７を参照）。例えば、配置の第１の対２４ａ，ａ’は配置の第３の対２４ｃ，ｃ’に関連する。これらの２つの対はラインＳＳに対して対称である。同じ制約が他のクアドラントに適用される。
【００９３】
[0093]  第２クアドラントは第１クアドラントのミラーイメージである。第３および第４クアドラントは第１および第２クアドラントのミラーイメージである。このように配置を位置決めすることは、図８に示す全ての照明モードの達成を可能にする。図８ｂ〜ｄに示す任意の照明モードが生成される場合、各クアドラントに対する対応する一次反射要素の向きは同じである。図８ａの環状モードが生成される場合、第１および第３クアドラントに対する一次反射要素の向きは、第２および第４クアドラントに対する一次反射要素に適用されるものと反対である。
【００９４】
[0094]  一次反射要素は、２つの軸の周りの回転を可能にするマウント上に設けられてよい。使用され得るマウント４０を図９に示す。マウントの説明に役立つようにデカルト座標を図９に示す。一次反射要素２２ａはマウント４０上で保持される。マウント４０は、ｘ方向に延在する２つのレバーアーム４１ａおよび４１ｂ並びにｙ方向に延在する２つのレバーアーム４２ａおよび４２ｂを含む。支柱４３は、ｚ方向に延在し、レバーアーム４１ａ，ｂおよび４２ａ，ｂの内端を板バネを介して一緒に接続する。第１対のレバーアーム４１ａ，ｂの外端は、外端間の一定の離隔を維持する第１ロッド４４によって接続される。第２対のレバーアーム４２ａ，ｂの外端は、外端間の一定の離隔を維持する第２ロッド４５によって接続される。
【００９５】
[0095]  第１対のレバーアーム４１ａ，ｂは、一次反射要素２２ａを第１軸の周りで回転させるように構成される。エンドストップ４６ａおよびｂは、第１対のレバーアーム４１ａ，ｂの移動範囲を制限する。エンドストップ４６ａおよびｂは、最下部レバーアーム４１ｂが間で移動し得る２つの所定の位置を確立する。２つの所定の位置は、高い位置（Ｈ１と呼ぶ）および低い位置（Ｌ１と呼ぶ）である。最下部レバーアーム４１ｂが高い位置Ｈ１にあった場合、上側エンドストップ４６ａと接触する。最下部レバーアーム４１ｂが低い位置Ｌ１にあった場合、下側エンドストップ４６ｂと接触する。
【００９６】
[0096]  最上部レバーアーム４１ａと最下部レバーアーム４１ｂとの間に第１ロッド４４によって提供される接続は、最上部レバーアームおよび最下部レバーアームの動きを一緒に関連付ける。したがって、最上部レバーアーム４１ａの動きは、エンドストップ４６ａおよびｂによって制限される。一次反射要素２２ａは最上部レバーアーム４１ａに接続されるため、これは、第１軸の周りの一次反射要素２２ａの回転がエンドストップ４６ａおよびｂによって制限されることを意味する。したがって、第１軸の周りの一次反射要素２２ａの回転は、最下部レバーアーム４１ｂが上側ローエンドストップ４６ａと接触する向きおよび最下部レバーアーム４１ｂが下側エンドストップ４６ｂと接触する向きに制限される。
【００９７】
[0097]  第２対のレバーアーム４２ａ，ｂは、一次反射要素２２ａを第１軸に直交する第２軸の周りで回転させるように構成される。エンドストップ４７ａおよび４７ｂを用いて第２対のレバーアーム４２ａ，ｂの動きを制限する。第２対のレバーアームは、高い位置（Ｈ１）と低い位置（Ｌ１）との間で移動する。したがって、第２軸の周りの一次反射要素２２ａの回転は、最下部レバーアーム４２ｂが上側ローエンドストップ４７ａと接触する向きおよび最下部レバーアーム４２ｂが下側エンドストップ４７ｂと接触する向きに制限される。
【００９８】
[0098]  レバーアームの対４１ａ，ｂおよび４２ａ，ｂの両方が同じ方向に同じ範囲移動された場合、ｘ軸の周りの一次反射要素２２ａの回転が得られる。レバーアームの対４１ａ，ｂおよび４２ａ，ｂが反対方向に同じ範囲移動された場合、ｙ軸の周りの一次反射要素２２ａの回転が得られる。
【００９９】
[0099]  可撓性ロッド５０は、第１対のレバーアーム４１ａ，ｂによって画定される平面にある堅いアーム５１から延在する。同等の可撓性ロッド（標識なし）は、第２対のレバーアーム４２ａ，ｂによって画定される平面にある堅いアーム（標識なし）から延在する。可撓性ロッドを用いてマウントの回転中心を規定する。回転中心は、可撓性ロッドが交差するところに配置される。
【０１００】
[00100]  マウント４０の構成は、レバーアームの対４１ａ，ｂおよび４２ａ，ｂの４つの可能な第１位置に対応する一次反射要素２２ａの４つの可能な第１の向きを可能にする。マウント４０の構成は、同様に、レバーアームの対４１ａ，ｂおよび４２ａ，ｂの４つの可能な第２位置に対応する一次反射要素２２ａの４つの対応する第２の向きを可能にする。向きは以下の通りである。
第１の向き：  Ｈ１，Ｈ２  Ｈ１，Ｌ２  Ｌ１，Ｈ２  Ｌ１，Ｌ２
第２の向き：  Ｌ１，Ｌ２  Ｌ１，Ｈ２  Ｈ１，Ｌ２  Ｈ１，Ｈ２
【０１０１】
[00101]  各々の場合において、特定の第２の向きは１つの第１の向きのみに対応する。したがって、一次反射要素２２ａは２つの向きの間のみで移動し得る。アクチュエータ（図示せず）を用いて上記のセットから第１および第２の向きの特定の組み合わせを選択することができる。アクチュエータは、例えば、Ｈ１,Ｈ２位置とＬ１，Ｌ２位置との間でレバーアームの対４１ａ，ｂおよび４２ａ，ｂを移動させるように構成されてよい。図９の文脈では、これは、レバーアームの両方の対４１ａ，ｂおよび４２ａ，ｂをアクチュエータによって一緒に移動させることによって達成される。あるいは、アクチュエータは、Ｈ１，Ｌ２位置とＬ１，Ｈ２位置との間でレバーアームの対を移動させるように構成されてよい。図９の文脈では、これは、レバーアームの対をアクチュエータによって反対方向に移動させることによって達成される。
【０１０２】
[00102]  これらのレバーアームの対４１ａ，ｂおよび４２ａ，ｂの第１位置および第２位置の正確な配置（よって、一次反射要素２２ａの向き）は、エンドストップ４６ａ，ｂおよび４７ａ，ｂの位置によって決定される。例えば、上側エンドストップ４６ａおよび４７ａの下側エンドストップ４６ｂおよび４７ｂの方への移動は、レバーアームの対４１ａ，ｂおよび４２ａ，ｂがＨ１，Ｈ２位置にあった場合にその配置を変更する（よって、一次反射要素２２ａの向きを変更する）。したがって、エンドストップは、一次反射要素の第１および第２の向きが正確に決定されることを可能にする。エンドストップは、一次反射要素２２ａの回転軸が正確に選択されることも可能にする。
【０１０３】
[00103]  瞳面Ｐで照明される配置（図３〜図６を参照）は、一次反射要素２２ａの向きによって変化する。したがって、一次反射要素２２ａを第１の向きと第２の向きとの間で移動させることは、以下のさらに説明する方法で異なる照明モードが選択されることを可能にする。
【０１０４】
[00104]  ４つの一次反射要素２２ａ〜ｄの各々が図９のマウントを用いて回転された場合、レバーアームの位置は以下の通りであり得る。
【表１】
0005650670.tif 000003
【０１０５】
[00105]  エンドストップ４６ａ，ｂ、４７ａ，ｂおよび５０の位置を調整することによって第１一次反射要素２２ａの回転軸を調整することが可能である。エンドストップは、例えば、第１一次反射要素の回転軸が図７の軸ＡＡに対応するように位置決めされてよい。同様に、エンドストップは、例えば、第３一次反射要素２２ｃの回転軸が図７の軸ＢＢに対応するように位置決めされてよい。
【０１０６】
[00106]  レバーアーム４１ａ，ｂおよび４２ａ，ｂはアクチュエータ（図示せず）によって駆動されてよい。アクチュエータは、例えば、モータであってよい。レバーアームの対４１ａ，ｂおよび４２ａ，ｂの各々は、異なる専用のアクチュエータによって駆動されてよい。したがって、レバーアームを駆動して図７のクアドラントＱ１の配置７２４ａ〜ｄおよび７２４ａ’〜ｄ’に関連する４つの一次反射要素２２ａ〜ｄを回転させるために８つのアクチュエータを使用してよい。
【０１０７】
[00107]  代替的に、レバーアームの対４１ａ，ｂおよび４２ａ，ｂの両方は、例えば、直接および反転運動の両方を提供するように構成され得る単一のアクチュエータによって駆動されてよい。この場合、レバーアームを駆動して図７のクアドラントＱ１の配置７２４ａ〜ｄおよび７２４ａ’〜ｄ’に関連する４つの一次反射要素２２ａ〜ｄを回転させるために４つのモータを使用してよい。
【０１０８】
[00108]  第１一次反射要素２２ａの代わりに複数の一次反射要素を使用してもよい。この場合、複数の一次反射要素の各々がマウント４０上に設けられてよい。マウント４０は、複数の一次反射要素が一体的に移動するように構成されたアクチュエータによって駆動されてよい。他の一次反射要素２２ｂ〜ｄも同様である。
【０１０９】
[00109]  アクチュエータは一次反射要素を２つの位置に駆動することのみが要求されているため、アクチュエータは、従来使用されているアクチュエータよりさらに単純であり得る。従来のシステムにおけるアクチュエータは、反射要素を多数の位置に駆動し、それによって、より正確な制御を必要とする。アクチュエータは一次反射要素を２つの位置に駆動することのみが要求されているため、一次反射要素の向きを決定するために感知システムを必要としない。さらに、多値（アナログ）信号を用いる代わりにバイナリ信号を用いて反射要素の位置を制御することができる。
【０１１０】
[00110]  アクチュエータは、例えば、ピエゾアクチュエータ、静電アクチュエータ、バイメタルアクチュエータまたはモータであってよい。
【０１１１】
[00111]  図９に示すマウントは単なる一例である。他の適切なマウントを用いてもよい。
【０１１２】
[00112]  従来の反射要素のアレイと比較して一次反射要素をより密接した構成することが可能であり得る。これは、各一次反射要素は２つの位置間でのみ移動されるからであり、それによって一次反射要素を他の異なる位置に移動することを可能とするその外周に空間を必要としない。この一次反射要素のより密接な構成は、リソグラフィ装置内の放射の損失を減少させる。これは、放射が通り得る一次反射要素間の空間がより小さいからである。
【０１１３】
[00113]  上記の実施形態では、放射サブビームによって照明される配置は、全て同じ内側半径範囲（σinner）および外側半径範囲（σouter）を有する（例えば、それら全ては単一のリング内にある）。これは、例えば、クアドラントＱ１の配置７２４ａ〜ｄおよび７２４ａ’〜ｄ’の全てが同じ内側および外側半径範囲で示される図７に図示される。さらに、一次反射要素の回転軸の全ては、クアドラントの原点（すなわち、照明システムの光軸）を通る。
【０１１４】
[00114]  代替の実施形態では、放射サブビームによって照明される配置は、例えば、ディスク状領域およびリング状領域（両方の領域は、照明システムの光軸を中心に置き、リング状領域はディスク上領域に隣接している）内に構成されるように設けられてよい。図１０は、この配置の構成を有する瞳面Ｑ１の第１クアドラントを示す。クアドラントＱ１には２４個の配置Ａ１，Ａ２〜Ｌ１，Ｌ２がある（瞳面全体にわたって９６個の配置）。１２個の一次反射要素Ａ〜Ｌ（図示せず）は、クアドラントＱ１の関連する２４個の配置を照明するように構成される（４８個の一次反射要素は全ての配置を照明するように構成される）。
【０１１５】
[00115]  複数の二次反射要素が各配置に設けられてよい。例えば、１０〜２０個の二次反射要素が各配置に設けられてよい。この場合、一次反射要素の数は必要に応じて定められる。例えば、所定の配置に１０個の二次反射要素があった場合、その配置に放射を誘導するように構成された１０個の一次反射要素がある（一次反射要素のそれぞれは、放射を異なる二次反射要素に誘導するように構成される）。この説明で「一次反射要素」という単語が使用されるところでは、これは一体的に移動するように構成された複数の一次反射要素を包含してもよい。
【０１１６】
[00116]  配置は、内側配置群および外側配置群として分類されてよい。したがって、内側配置群のあらゆる配置は、外側配置群内のあらゆる配置から半径方向に離される。内側配置群内の配置は、関連する一次反射要素がその第１の向きを有した場合に照明される。外側配置群内の配置は、関連する一次反射要素がその第２の向きを有した場合に照明される。反対に、内側配置を第２の向きを有する一次反射要素に関連付け、および外側配置群を第１の向きを有する一次反射要素に関連付けることも同様に行ってもよいことが理解される。
【０１１７】
[00117]  内側配置群は、内側半径範囲σinnerおよび外側半径範囲σ２を有する。外側配置群は、内側半径範囲σ２および外側半径範囲σ３を有する。
【０１１８】
[00118]  瞳面にわたる配置の相対面積は、（σ３２-σinner２）／２となる。したがって、エタンデュ比Ｘ（すなわち、相対的に使用される瞳面積の逆）はＸ＝２／（σ３２-σinner２）となる。
【０１１９】
[00119]  各一次反射要素は、同じクアドラント（例えば、Ｑ１）の異なる部分からの２つの配置を別々に照明するように構成される。より具体的には、各第１反射要素は、第１の向きと第２の向きとの間で移動するように構成される。第１反射要素が第１の向きを有した場合、放射サブビームは外側配置群内の第１関連配置に向かって誘導される。第１反射要素が第２の向きを有した場合、放射サブビームは内側配置群内の第２関連配置に向かって誘導される（両方の配置は同じクアドラント内にある）。
【０１２０】
[00120]  図３および図１０を参照すると、一次反射要素２２ａは、第１の向きを有した場合に第１関連配置Ａ１を照明するように構成され、第２の向きを有した場合に第２関連配置Ａ２を照明するように構成されてよい。別の一次反射要素２２ｂは、第１の向きを有した場合に第１関連配置Ｂ１を照明するように構成され、第２の向きを有した場合に第２関連配置Ｂ２を照明するように構成されてよい。他の一次反射要素も同じように構成されてよい。
【０１２１】
[00121]  配置がリング状領域内に構成される実施形態のように（図７を参照）、ここでも所望の照明モードは同じ対称を共有しない場合があることが本発明の一態様である。この場合、配置の位置は、各配置の対が関連する配置の対を有し、２つの対がクアドラントＱ１を二等分するラインＳＳに対して対称であるように構成されてよい。
【０１２２】
[00122]  例えば、第１対の配置Ａ１，Ａ２は、第７対の配置Ｇ１，Ｇ２に関連する。これらの２つの対は、ラインＳＳに対して対称である。第２の例では、第２対の配置Ｂ１，Ｂ２は、第４対の配置Ｈ１，Ｈ２に関連する。これらの２つの対も、ラインＳＳに対して対称である。同じ対称制約が他の配置の対に適用される。さらに、同じ制約が他のクアドラントに適用される。
【０１２３】
[00123]  配置および関連する一次反射領域の構成は、瞳面の各々のクアドラントに対して同じであってよい。例えば、第２クアドラントは、第１クアドラントのミラーイメージであってよい。第３および第４クアドラントは、第１および第２クアドラントのミラーイメージであってよい。
【０１２４】
[00124]  一次反射要素の各々は、所定の軸の周りを回転することによって第１の向きと第２の向きとの間で移動してよい。回転はエンドストップによって制限されてよい。外側照明群内の配置および内側照明群内の配置を照射するためには、所定の軸が照明システムの光軸を通過しない場合がある。
【０１２５】
[00125]  図３および図１０を参照すると、第１関連配置Ａ１，Ａ２を照明する第１一次反射要素２２ａは、第１軸ＡＡの周りを回転してよい。第２関連配置Ｌ１，Ｌ２を照明する第２一次反射要素２２ｂは、第２軸ＢＢの周りを回転してよい。他の一次反射要素は他の軸（図示せず）の周りを回転してよい。合計すると、第１クアドラントＱ１に対して１２個の回転軸がある。第３クアドラントに対する回転軸は第１クアドラントＱ１に対するものと並行である。第２クアドラントに対して１２個の回転軸があり、これらは第４クアドラントに対する回転軸と並行である。したがって、合計すると、２４個の回転軸がある。
【０１２６】
[00126]  瞳面の対向するクアドラント内の対応する配置に関連する一次反射要素は、同じ軸の周りを回転するように構成されてよい。図１０に示す例では、例えば、合計して１２個の所定の軸がある。これは、Ｑ１およびＱ３にわたって延在する６つの軸およびＱ２およびＱ４にわたって延在する６つの軸を含む。
【０１２７】
[00127]  一次反射要素を用いて７つの異なる照明モードを生成することができる。照明モードは図１１に示されている。照明モードは、第１、第２および第３環状モード、第２ディスクモード、ダイポールモードおよび四極モードである。
【０１２８】
[00128]  図１１ａに示す第１環状モードを生成するためには、クアドラントＱ１に関連する一次反射要素は、配置Ａ１〜Ｌ１が照明されるように指向されてよい。これは、一次反射要素の各々をその第１の向きになるようにその所定の軸の周りを回転させることによって達成される。第２、第３および第４クアドラントの配置に関連する一次反射要素は同様に指向される。
【０１２９】
[00129]  図１１ｂに示す第２環状照明モードを生成するためには、クアドラントＱ１に関連する一次反射要素は、配置Ａ２〜Ｌ２が照明されるように指向されてよい。これは、一次反射要素の各々をその第２の向きになるようにその所定の軸の周りを回転させることによって達成される。第２、第３および第４クアドラントの配置に関連する一次反射要素は同様に指向される。内側半径範囲σinnerが有限値ではなくゼロであった場合、このモードは環状モードではなくディスクモードとなる。
【０１３０】
[00130]  図１１ｃに示すような第３環状照明モードを生成するためには、クアドラントＱ１に関連する一次反射要素は、配置Ａ２、Ｂ１、Ｃ２、Ｄ１、Ｅ２、Ｆ１、Ｇ２、Ｈ１、Ｉ２、Ｊ１、Ｋ２およびＬ１が照明されるように指向される。これは、配置Ａ、Ｃ、Ｅ、Ｇ、ＩおよびＫに関連する一次反射要素をその第２の向きになるように所定の軸の周りを回転させ、かつ配置Ｂ、Ｄ、Ｆ、Ｈ、ＪおよびＬに関連する一次反射要素をその第１の向きになるように所定の軸の周りを回転させることによって達成される。第２、第３および第４クアドラントの配置に関連する一次反射要素は同様に指向される。
【０１３１】
[00131]  図１１ｄに示すようにｘダイポールモード照明モードを生成するためには、クアドラントＱ１に関連する一次反射要素は、配置Ａ２〜Ｆ２およびＧ１〜Ｌ１が照明されるように指向されてよい。これは、配置Ａ〜Ｆに関連する第１一次反射要素をその第２の向きになるように所定の軸の周りを回転させ、かつ配置Ｇ〜Ｌに関連する一次反射要素をその第１の向きになるように所定の軸の周りを回転させることによって達成される。第２、第３および第４クアドラントの配置に関連する一次反射要素は同様に指向される。
【０１３２】
[00132]  図１１ｅに示すようにｙダイポール照明モードを生成するためには、クアドラントＱ１に関連する一次反射要素は、配置Ａ１〜Ｆ１およびＧ２〜Ｌ２が照明されるように指向されてよい。これは、配置Ａ〜Ｆに関連する第１一次反射要素をその第１の向きになるように所定の軸の周りを回転させ、かつ配置Ｇ〜Ｌに関連する一次反射要素をその第２の向きになるように所定の軸の周りを回転させることによって達成される。第２、第３および第４クアドラントの配置に関連する一次反射要素は同様に指向される。
【０１３３】
[00133]  図１１ｆに示すように四極モードを生成するためには、クアドラントＱ１に関連する第１一次反射要素は、配置Ｄ１〜Ｉ１、Ｊ２〜Ｌ２およびＡ２〜Ｃ２が照明されるように指向されてよい。これは、配置Ｄ〜Ｉに関連する一次反射要素をその第１の向きになるように所定の軸の周りを回転させ、かつ配置Ｊ〜ＬおよびＡ〜Ｃに関連する一次反射要素をその第２の向きになるように所定の軸の周りを回転させることによって達成される。第２、第３および第４クアドラントの配置に関連する一次反射要素は同様に指向される。
【０１３４】
[00134]  図１１ｇに示すように代替の四極照明モードを生成するためには、クアドラントＱ１に関連する一次反射要素は、配置Ａ１〜Ｃ１、Ｇ２〜Ｉ２、Ｊ１〜Ｌ１およびＤ２〜Ｆ２が照明されるように指向されてよい。これは、配置Ａ〜ＣおよびＪ〜Ｌに関連する一次反射要素をその第１の向きになるように所定の軸の周りを回転させ、かつ配置Ｇ〜ＩおよびＤ〜Ｆに関連する一次反射要素をその第２の向きになるように所定の軸の周りを回転させることによって達成される。第２、第３および第４クアドラントの配置に関連する一次反射要素は同様に指向される。
【０１３５】
[00135]  一次反射要素は、瞳面において他の所望の照明モードを生成するように指向されてよい。例えば、本発明の一態様によると、図１１に示すようなあらゆる照明モードは、クアドラント内の配置を照射する限定された数の一次反射要素を２つの向きのうちの他方の向きに移動することによって元の照明モードの近似値を提供するように修正することができる。照明モードのそのような調整は、標準の照明モードの「近似」変形を提供することを可能にする。例えば、図１１ｅに示すダイポール照明モードは、図１０（および図１２）に示すように、関連配置Ａ１を照射するフィールドファセットを関連配置Ａ２を照射する位置に切り替えることによって、および同様の切り替えを対応する他の３つのクアドラント内の配置に関連する一次反射要素に適用することによって、図１２に示すような近似ダイポール照明モードに変更することができる。近似照明モードの使用は、結像されるパターンによって、改良されたリソグラフィプロセスウィンドウを提供できる。
【０１３６】
[00136]  本発明で説明した実施形態は１６個の一次反射要素または４８個の一次反射要素について言及したが、あらゆる適切な数の一次反射要素が使用されてもよい。
【０１３７】
[00137]  本発明の上記の説明は反射型照明システム（例えば、ＥＵＶリソグラフィ装置の一部を含む）について言及したが、本発明は屈折要素を含む照明システムに提供されてもよい。本発明は、例えば、ＤＵＶリソグラフィ装置に提供されてもよい。反射型光コンポーネントの代わりにまたはそれに加えて、屈折型光コンポーネントが照明システム瞳面内に提供されてもよい。
【０１３８】
[00138]  以上、本発明の具体的な実施形態を説明してきたが、本発明は、上述以外の態様で実施できることが明らかである。説明は本発明の制限を意図したものではない。
【０１３９】
[00139]  本発明の好ましい特徴は、本発明の全ての態様に適用可能であり、あらゆる組み合わせで使用されてもよい。
【図１】
0005650670.tif 000004
【図２ａ】
0005650670.tif 000005
【図２ｂ】
0005650670.tif 000006
【図３】
0005650670.tif 000007
【図４】
0005650670.tif 000008
【図５ａ】
0005650670.tif 000009
【図５ｂ】
0005650670.tif 000010
【図６ａ】
0005650670.tif 000011
【図６ｂ】
0005650670.tif 000012
【図７】
0005650670.tif 000013
【図８】
0005650670.tif 000014
【図９】
0005650670.tif 000015
【図１０】
0005650670.tif 000016
【図１１】
0005650670.tif 000017
【図１２】
0005650670.tif 000018